(57)【要約】【課題】落下等の耐衝撃性に優れ、コンパクト化の支障にならない携帯可能な機器を提供することができる。【解決手段】機器筐体２０は、六面体の一面が開放された長方形状の開口１ａを有する直方体形状の前カバー１と、上記長方形状の開口１ａの一対の長辺の略中央に該一対の長辺の一方から他方に渡って架け渡すように上記開口口元近傍に配された補強板６と、上記開口１ａを塞ぎ、前カバー１とともに上記筐体を形成して上記補強板６を覆う後カバー２とを具備しており、万一、機器筐体２０を上側、または、下側を下方にして落下させた場合、補強板６が前カバー１の長辺部の衝撃による変形を押さえるように作用するので、前カバー１の要部の破損を防止することができる。【選択図】図２
2009211013.tif 000002
【特許請求の範囲】
【請求項１】
機器筐体を構成するため、六面体の一面が開放された長方形状の開口を有する直方体形状の第一のカバー部材と、
上記長方形状の開口の一対の長辺の略中央に該一対の長辺の一方から他方に渡って架け渡すようにして上記開口口元近傍に設けられた補強部材と、
を具備していることを特徴とする携帯可能な機器。
【請求項２】
さらに、上記開口を塞ぎ、上記第１のカバー部材とともに上記筐体を形成して上記補強部材を覆う第二のカバー部材を具備していることを特徴とする請求項１記載の携帯可能な機器。
【請求項３】
上記補強部材は、金属材料よりなることを特徴とする請求項１記載の携帯可能な機器。
【請求項４】
上記筐体は、上記補強部材が位置している近傍の外装表面が凸形状を有していることを特徴とする上記請求項１乃至３記載の携帯可能な機器。
【発明の詳細な説明】
【技術分野】
【０００１】
本発明は、携帯可能な機器の耐衝撃構造に関する。
【背景技術】
【０００２】
従来、携帯可能な機器は、携帯して使用するために不注意に落下させた場合、機器筐体の一部にクラックがはいるなどが生じる危惧があった。
【０００３】
図３は、上記従来の携帯可能な機器の一例としてデジタルカメラの機器筐体の後カバーを外した状態の背面図であり、図４は、図３のＢ−Ｂ断面であって、上記後カバーを装着した状態の上記機器筐体の断面図である。上記デジタルカメラの機器筐体１００は、図３，４に示すように直方体外形を有する合成樹脂製箱型筐体であり、前カバー１０１と後カバー１０２とからなる。前カバー１０１の背面側は、開口部１０１ａを形成しており、その開口部を後カバー１０２により覆う構成となっている。前カバー１０１の開口部周囲には、嵌合凸部１０１ｂが設けられ、後カバー１０２側には、嵌合凸部１０１ｂが嵌入する嵌入溝１０２ｂが設けらている。嵌入溝１０２ｂの底部には防水用パッキン１０４が挿入されている。前カバー１０１の上面部にはレリーズ操作釦やパワースイッチ操作釦が配される凸状釦支持板１０３が固着されている。前カバー１０１の下面部には、三脚用ネジ１０１ｄが配される凸状座部１０１ｃが設けられている。
【０００４】
このカメラの機器筐体１００を上面側、または、下面側を下方にして落下させた場合、凸状釦支持板１０３、あるいは、凸状座部１０１ｃが障害物に突き当たり、図３，４に示すように前カバー１０１の凸状釦支持板１０３、または、凸状座部１０１ｃの近傍の前カバー内側隅部１０１ｆや嵌合凸部１０１ｂの根元部１０１ｇ，１０１ｉ、あるいは、凸状座部１０１ｃの内方隅部１０１ｈなどにクラックが発生する可能性があった。
【０００５】
そこで、上記クラックによる破損を防止するために従来では前カバーに各種の耐衝撃構造が採用されていた。例えば、図５に示すように前カバー１０１の凸状釦支持板１０３近傍にリブ１０１ｋを設け、さらに、内側の隅部１０１ｍにある曲率を付すことによって、上記破損を防止しようとするものである。
【０００６】
また、図６に示すように前カバー１０１と後カバー１０２と嵌合部の肉厚ｔ1 ，ｔ2 ，ｔ3 をそれぞれ厚くした構造や図７に示すように前カバー１０１側の嵌合凸部１０１ｂの外側周囲にさらに凸部１０１ｎを付加して設け、嵌合凸部の破損を防止使用とする構造も考えらる。
【０００７】
さらに、図８に示すように機器筐体１００の内部に収納されるレンズ鏡枠等の収納要素ユニット１０５の外形縦寸法を前カバー１０１の内壁の縦寸法に極めて近い寸法とし、上述したように機器筐体１００を万一、落下させた場合、前カバー１０１の変形を上記収納要素ユニット１０５の外形により規制することによって前カバー１０１の破損を防止しようとする構造も考えられる。
【０００８】
なお、特許文献１に開示されたカメラボディには、カメラボディ（筐体）に設けられるファインダユニット装着部や鏡筒装着部のための開口部まわりの強度を確保するために該開口部前面に別途、補強部材を固着する構造が提案されている。
【特許文献１】特開平９−１３８４５１号公報
【発明の開示】
【発明が解決しようとする課題】
【０００９】
しかしながら、上述した従来の耐衝撃構造において、図５に示したカバーにリブ等を配するものは、内部に配される構成部材の配置が制限を受け、コンパクト化が困難になる。また、図６，７に示した耐衝撃構造のものは、外径寸法が大型化し、同様にコンパクト化の支障になる。さらに、図８の耐衝撃構造を適用した場合、落下による衝撃力がレンズ鏡枠等の構成ユニットに作用し、機能を害する可能性がある。
【００１０】
本発明は、上述の問題を解決するためになされたものであり、携帯可能な機器において、落下等の耐衝撃性に優れ、コンパクト化の支障になない携帯可能な機器を提供することを目的とする。
【課題を解決するための手段】
【００１１】
本発明の請求項１記載の携帯可能な機器は、機器筐体を構成するための六面体の一面が開放された長方形状の開口を有する直方体形状の第一のカバー部材と、上記長方形状の開口の一対の長辺の略中央に該一対の長辺の一方から他方に渡って架け渡すようにして上記開口口元近傍に設けられた補強部材とを具備している。
【００１２】
本発明の請求項２記載の携帯可能な機器は、請求項１記載の携帯可能な機器において、さらに、上記開口を塞ぎ、上記第１のカバー部材とともに上記筐体を形成して上記補強部材を覆う第二のカバー部材を具備している。
【００１３】
本発明の請求項３記載の携帯可能な機器は、請求項１記載の携帯可能な機器において、上記補強部材は、金属材料よりなる。
【００１４】
本発明の請求項４記載の携帯可能な機器は、請求項１乃至３記載の携帯可能な機器において、上記筐体は、上記補強部材が位置している近傍の外装表面が凸形状を有している。
【発明の効果】
【００１５】
本発明によれば、携帯可能な機器において、落下等の耐衝撃性に優れ、コンパクト化の支障にならない携帯可能な機器を提供することができる。
【発明を実施するための最良の形態】
【００１６】
以下、図を用いて本発明の実施形態について説明する。
【００１７】
図１は、本発明の一実施形態の携帯可能な機器であるデジタルカメラの機器筐体の後カバーを外した状態での背面図である。図２は、図１のＡ−Ａ断面図であって、後カバー装着状態の上記機器筐体の断面を示す。
【００１８】
上記デジタルカメラの機器筐体２０は、図１，２に示すように六面体外形を有する直方体形状の合成樹脂製箱型筐体であり、主に第一のカバー部材である前カバー１と第二のカバー部材である後カバー２と補強部材である補強板６とからなる。機器筐体２０は、撮影光軸Ｏに対して左右方向が長手方向となっている。
【００１９】
前カバー１の背面側は、長方形形状の開口部１ａを形成しており、その開口部を後カバー２により覆う構成となっている。前カバー１０１の開口部周囲には、嵌合凸部１ｂが設けられ、後カバー２側には嵌合凸部１ｂが嵌入する嵌入溝２ｂが設けらている。嵌入溝２ｂの底部には防水用パッキン１１が挿入されている。
【００２０】
前カバー１の上面部にはレリーズ操作釦４、パワースイッチ操作釦５が配されている凸状釦支持板３が固着されている。前カバー１の下面部には、三脚用ネジ１ｆが配される凸状座部１ｅが設けられている。
【００２１】
前カバー１の内部には、レンズ鏡枠ユニット７と、電池ボックス・電気回路ユニット８とが左右方向に並んで配され、固着されている。
【００２２】
前カバー１の長辺側上辺１ｃ上の内側中央支持部１ｋおよび長辺側下辺１ｄ上の内側中央支持部１ｍの上下対向位置にそれぞれビス用ネジ穴１ｇ，１ｈが設けられ、また、それぞれのネジ穴近傍に位置決めピン１ｉ，１ｊが設けられている。なお、ネジ穴１ｇは、凸状釦支持板３の端部内側近傍に、ネジ穴１ｈは、凸状座部１ｅの内側近傍にそれぞれ位置している。
【００２３】
補強板６は、ステンレス鋼板、または、アルミニュウム合金製板等の金属板、あるいは、強化プラスチック材からなる略真直な板部材であり、両端部にビス挿通穴６ｍ，６ｎと位置決めピン穴６ｉ，６ｊが設けられている。この補強板６は、開口部１ａの口元にて前カバー１の中央支持部１ｋおよび１ｍに架け渡し状態で配され、位置決めピン１ｉ，１ｊと位置決めピン穴６ｉ，６ｊで位置決めした状態でビス挿通穴６ｍ，６ｎを挿通させたビス９，１０を前カバー側ネジ穴１ｇ，１ｈに螺着することによって前カバー１に固着される。
【００２４】
レンズ鏡枠ユニット７と、電池ボックス・電気回路ユニット８を収納し、かつ、補強板６が固着された状態の前カバー１に後カバー２が装着され、嵌合凸部１ｂと嵌入溝２ｂとを嵌入させた状態でビス（図示せず）により図２の状態で締結され、機器筐体２０として完成する。
【００２５】
上述した構成を有するデジタルカメラの機器筐体２０を万一、上面側、または、下面側を下方にして落下させた場合、凸状釦支持板３、あるいは、凸状座部１ｅが障害物に突き当たる可能性がある。そのとき、前カバー１の上辺１ｃ、または、下辺１ｄが衝撃力を受けるが、当接部近傍に補強板６が上下方向に架け渡し状態で固着されているので、上辺１ｃ、または、下辺１ｄの根元部に作用する曲げモーメントが減じられる。同時に、上辺１ｃ、または、下辺１ｄの嵌合凸部１ｂに作用する剪断力も減じられ、それぞれのクラック発生が防止できる。また、補強板６が上述のように固着されていることから上辺１ｃ、または、下辺１ｄの変形量が少なく、上記辺部の内側が収納されているレンズ鏡枠ユニット７等に接触することがなく、該ユニットにダメージを与えることがない。
【００２６】
なお、機器筐体２０の左右方向を下方にして落下させた場合、前カバー１の左右の辺は短く、また、特に突起部も配されていないことから前カバー左右辺部の変形は少なく、クラック等の発生は少ない。
【００２７】
上述したように本実施形態の携帯可能な機器であるデジタルカメラの筐体２０は、上述した補強板を前カバー１の内部の上下方向に亘って他の収納ユニットの配置に支障がない状態で固定することにより簡単な構成でコンパクト化の支障にならず、耐衝撃性を向上させることができ、さらには前カバーの肉厚を減らすことも実現可能である。
【００２８】
なお、補強板６は、真直の板部材で形成したが、これに限らず、収納ユニットの配置の支障にならない程度に折り曲げ部を設けたり、あるいは、エンボス加工を施すことにより座屈強度を上げるとともに補強板自体の板厚や板幅を減らして軽量化することも可能である。
【００２９】
この発明は、上記各実施の形態に限ることなく、その他、実施段階ではその要旨を逸脱しない範囲で種々の変形を実施し得ることが可能である。さらに、上記各実施形態には、種々の段階の発明が含まれており、開示される複数の構成要件における適宜な組合せにより種々の発明が抽出され得る。
【産業上の利用可能性】
【００３０】
本発明の携帯可能な機器は、落下等の耐衝撃性に優れ、コンパクト化の支障にならず、さらには機器筐体の薄肉化も可能である携帯可能な機器として利用することができる。
【図面の簡単な説明】
【００３１】
【図１】図１は、本発明の一実施形態の携帯可能な機器であるデジタルカメラの機器筐体の後カバーを外した状態での背面図である。
【図２】図２は、図１のＡ−Ａ断面図であって、後カバー装着状態の上記機器筐体の断面を示す。
【図３】従来の携帯可能な機器の一例であるデジタルカメラの機器筐体の後カバーを外した状態の背面図である。
【図４】図３のＢ−Ｂ断面であって、上記後カバーを装着した状態での上記機器筐体の断面図である。
【図５】図３のデジタルカメラの機器筐体に対して前カバーの凸状釦支持板近傍にリブを設け、さらに、内側の隅部にある曲率を付した前カバーの部分断面図である。
【図６】図３のデジタルカメラの機器筐体に対して前カバーと後カバーと嵌合部の肉厚をそれぞれ厚くした場合の機器筐体の断面図である。
【図７】図３のデジタルカメラの機器筐体に対して前カバーの嵌合凸部の外周側にさらに凸部を付加した場合の機器筐体の断面図である。
【図８】図３のデジタルカメラの機器筐体に対して収納要素ユニットの外形を前カバーの内壁寸法に極めて接近させた機器筐体の断面図である。
【符号の説明】
【００３２】
１  …前カバー（第一のカバー部材、筐体）
１ａ…開口
１ｅ…凸状座部（外装の凸形状部位）
２  …後カバー（第二のカバー部材、筐体）
３  …凸状釦支持板（外装の凸形状部位）
６  …補強板（補強部材）
【図１】
2009211013.tif 000003
【図２】
2009211013.tif 000004
【図３】
2009211013.tif 000005
【図４】
2009211013.tif 000006
【図５】
2009211013.tif 000007
【図６】
2009211013.tif 000008
【図７】
2009211013.tif 000009
【図８】
2009211013.tif 000010